(57)【要約】      （修正有）【課題】耐久性、実用性、美観性を有する多層材の構造を提供する。【解決手段】外層Ａが木製層、内層Ｃが陶器、磁器、プラスチック、中間層Ｂが粘着層（接着層）の三層構造からなる構造とすることにより、急須、急須蓋、酒盃、グラス、コーヒーカップなどに応用し、精巧な彫刻ができる木製部により美観を呈すると共に、割れやすい陶磁器などを保護し、断熱性や耐久性を持たせる。【選択図】図１
0003108528.tif 000002
【実用新案登録請求の範囲】
【請求項１】
（１）  外層が木製層、内層が陶器、磁器、プラスチック、中間層が粘着層又は接着層の三層構造、又は、
（２）  外層が木製層、内層が瑠璃、中間層が断熱層の三層構造、又は、
（３）  外層が木製層、内装が陶器、磁器、瑠璃、プラスチック、中間層が粘着層の又は接着層の三層構造、又は
（４）上部が瑠璃の本体部、下部が木製の脚部である酒杯、或いはグラス、
とすることにより、木製部を含む複数の素材を組み合わせてなることを特徴とする  多層材の構造。
【請求項２】
木製部分に陶器、磁器、瑠璃、プラスチックの急須、湯飲み、コーヒーカップを嵌合してなることを特徴とする請求項１記載の多層材の構造。
【請求項３】
木製部分に瑠璃、プラスチックの急須蓋を嵌合させてなることを特徴とする請求項１記載の多層材の構造。
【考案の詳細な説明】
【技術分野】
【０００１】
本考案は多層材の構造に係り、特に外層が木製層、内層が瑠璃、陶器、磁器、プラスチック、中間層が粘着層、或いは断熱層の三層構造を結合させたものであり、各種容器に応用できる多層材の構造に関わる。
【背景技術】
【０００２】
一般に急須、急須蓋、湯飲み、コーヒーカップは純木製品であったり、陶磁器であったり、ガラス製品であったり、全て単一の材質によって作られており、耐久性、美観性、実用性には限りがあり、他の材質と結合させた製品は市販されていない。純木製品の場合、その材質は容易に熱による膨張や収縮によって製品のサイズが変化してしまい、純粋な陶磁器製品の場合、破損し易く、また、純粋なプラスチック製品の場合、熱膨張や材質の変質が発生し易いという問題が存在する。
【特許文献１】特開２００２−１２８１４６号公報
【考案の開示】
【考案が解決しようとする課題】
【０００３】
上記公知構造の欠点を解決させるため、本考案の目的は、木製製品の内層に瑠璃、プラスチック、陶器、磁器を嵌め込み、耐久性、実用性、美観性を有する急須、急須蓋、湯飲み、コーヒーカップ、花瓶等の製品を製造することができる精巧な彫刻ができる多層材の構造を提供することである。
【課題を解決するための手段】
【０００４】
請求項１の考案は、精巧な彫刻ができる多層材の構造であり、
（１）  外層が木製層、内層が陶器、磁器、プラスチック、中間層が粘着層又は接着層の三層構造、
（２）  外層が木製層、内層が瑠璃、中間層が断熱層の三層構造、
（３）  外層が木製層、内装が陶器、磁器、瑠璃、プラスチック、中間層が粘着層又は接着層の三層構造、
（４）  上方が瑠璃の本体部、下方が木製の脚部である酒杯、或いはグラス
であることを特徴とする精巧な彫刻ができる多層材の構造である。
【０００５】
請求項２の考案は、精巧な彫刻ができる木製部分に陶器、磁器、瑠璃、プラスチックの急須、湯飲み、コーヒーカップを嵌合させてなることを特徴とする請求項１記載の精巧な彫刻ができる多層材の構造である。
【０００６】
請求項３の考案は、精巧な彫刻ができる木製部分に瑠璃、プラスチックの急須蓋を嵌合させてなることを特徴とする請求項１記載の精巧な彫刻ができる多層材の構造である。
【考案の効果】
【０００７】
木製製品の内層に瑠璃、プラスチック、陶器、磁器を嵌め込み、耐久性、実用性、美観性を有する急須、急須蓋、湯飲み、コーヒーカップ、花瓶等の製品を製造することができる精巧な彫刻ができる多層材の構造を提供できた。
【考案を実施するための最良の形態】
【０００８】
図１〜７に示すように、本考案は、
（１）  外層が木製層Ａ、１、Ａ’、Ａ’１、内層Ｃ、３、Ｃ’、Ｃ’１が陶器、磁器、プラスチック、中間層Ｂ、２、Ｂ’Ｂ’１が粘着層・接着層の三層構造（図１、２、３、４）、
（２）  外層が木製層１、Ａ’Ａ’１、内層３、Ｃ’、Ｃ’１が瑠璃、中間層２、Ｂ’Ｂ’１が断熱層の三層構造、
（３）  外層が木製層ａ、内層ｂが陶器、磁器、瑠璃、プラスチック、中間層ｃが粘着層・接着層の三層構造（図５）、
（４）  上部が瑠璃の本体部ｄ、d’、下部が木製の脚部ｅ、ｅ’である酒杯、或いはグラス（図６、７に示す）である。
【０００９】
図１は、木製部に陶器、磁器、プラスチックの湯飲みを嵌合させたものであり、外層Ａは精巧な彫刻ができる木製であり、内層Ｃは陶器、磁器、プラスチックであり、中間層Ｂの粘着層又は接着層によって外層Ａと内層Ｃが接着されており、このように三層構造が形成されている湯飲みであり、断面図はＡ―Ａ’である。
【００１０】
図２は木製部に瑠璃、陶器、磁器、プラスチックの湯飲みを嵌合させたものであり、外層１は精巧な彫刻ができる木製であり、内層３は瑠璃、陶器、磁器、プラスチックであり、中間層２の断熱材によって外層Ａと内層３のガラスが結合されており、このように三層構造が形成されている湯飲みであり、断面図はＢ―Ｂ’である。
【００１１】
図３は木製部に瑠璃、プラスチックの急須を嵌合させたものであり、外層Ａ’は精巧な彫刻ができる木製であり、内層Ｃ’は瑠璃、プラスチックであり、中間層の粘着層・接着層によって外層Ａ’と内層Ｃ’のプラスチックが結合されており、このように三層構造が形成されている急須であり、断面図はＣ―Ｃ’である。
【００１２】
図４は木製部に瑠璃、プラスチックの急須蓋を嵌合させたものであり、外層Ａ’１は精巧な彫刻ができる木製であり、内層Ｃ’１は瑠璃、プラスチックであり、中間層Ｂ’１の粘着層・接着層によって外層Ａ’１と内層Ｃ’１のプラスチックが粘着・接着されており、中間層Ｂ’１の断熱層によって外層Ａ’１と内層Ｃ’１のガラスが結合されており、このように三層Ａ’１、Ｂ’１、Ｃ’１が形成されている急須蓋であり、断面図はＤ―Ｄ’である。
【００１３】
図５は木製部に陶器、磁器、瑠璃、プラスチックのコーヒーカップを嵌合させたものであり、外層ａは精巧な彫刻ができる湯飲みであり、内層ｃは陶器、磁器、瑠璃、プラスチックであり、中間層ｃの粘着・接着材によって外層ａと内層ｃが粘着・接着されており、このように三層ａ、ｂ、ｃが形成されているコーヒーカップである。
【００１４】
本考案は精巧な彫刻ができる多層材の構造であり、各種材質と木製製品を結合させたものであり、以下の製品を完成することができる。
【００１５】
ａ  精巧な彫刻ができる木製部に瑠璃の急須、酒盃、グラスを嵌合させたもの。
ｂ  精巧な彫刻ができる木製部にプラスチックの急須を嵌合させたもの。
ｃ  精巧な彫刻ができる木製部に瑠璃、プラスチックの急須蓋を嵌合させたもの。
ｄ  精巧な彫刻ができる木製部に陶器、磁器の湯飲みを嵌合させたもの。
ｅ  精巧な彫刻ができる木製部にプラスチックの湯飲みを嵌合させたもの。
ｆ  精巧な彫刻ができる木製部に瑠璃、陶器、磁器、プラスチックのコーヒーカップ  を嵌合させたもの。
【図面の簡単な説明】
【００１６】
【図１】木製部に陶器、磁器、プラスチックの湯飲みを嵌合させた様子を示す図            である。
【図２】木製部に瑠璃、陶器、磁器、プラスチックのコップを嵌合させた様子を            示す図である。
【図３】木製部に瑠璃、プラスチックの急須を嵌合させた様子を示す図である。
【図４】木製部に瑠璃、プラスチックの急須蓋を嵌合させた様子を示す図である。
【図５】木製部に瑠璃、陶器、磁器、プラスチックのコーヒーカップを嵌合させ            た様子を示す図である。
【図６】木製部に瑠璃の酒杯を嵌合させた様子を示す図である。
【図７】木製部に瑠璃のグラスを嵌合させた様子を示す図である。
【符号の説明】
【００１７】
１      外層
２      中間層
３      内層
Ａ      外層
Ａ’    外層
Ａ’１  外層
Ｂ      中間層
Ｂ’    中間層
Ｂ’１  中間層
Ｃ      内層
Ｃ’    内層
Ｃ’１  内層
ａ      木製層
ｂ      内層
ｃ      粘着層
ｄ      酒杯本体部
ｅ      酒杯脚部
ｄ’    グラス本体部
ｅ’    グラス脚部
Ａ―Ａ’断面図
Ｂ―Ｂ’断面図
Ｃ―Ｃ’断面図
Ｄ―Ｄ’断面図
【図１】
0003108528.tif 000003
【図２】
0003108528.tif 000004
【図３】
0003108528.tif 000005
【図４】
0003108528.tif 000006
【図５】
0003108528.tif 000007
【図６】
0003108528.tif 000008
【図７】
0003108528.tif 000009